(57)【要約】【課題】  低泡性で且つ洗浄性に優れる洗浄剤組成物を提供する。【解決手段】  一般式(1)：R1-O-[(EO)x／(PO)y]-H…(1)［式(1)中、R1は、炭素数が16〜18の飽和脂肪族炭化水素基又は炭素数が16〜18の不飽和脂肪族炭化水素基、EOはオキシエチレン基、POはオキシプロピレン基を示す。EOとPOとはランダム付加でもブロック付加でもよい。x及びyは平均付加モル数であり、xは8〜16の数、yは2〜8の数を表す。］で表される非イオン界面活性剤と、自己乳化型シリコーン消泡剤とを含有してなる洗浄剤組成物を提供する。【選択図】なし【特許請求の範囲】
【請求項１】
一般式（１）：R1-O-[(EO)x／(PO)y]-H…（１）［式（１）中、R1は、炭素数が１６〜１８の飽和脂肪族炭化水素基又は炭素数が１６〜１８の不飽和脂肪族炭化水素基、EOはオキシエチレン基、POはオキシプロピレン基を示す。EOとPOとはランダム付加でもブロック付加でもよい。x及びyは平均付加モル数であり、xは８〜１６の数、yは２〜８の数を表す。］で表される非イオン界面活性剤と、自己乳化型シリコーン消泡剤とを含有してなることを特徴とする洗浄剤組成物。
【請求項２】
前記非イオン界面活性剤を５〜２０重量％、前記自己乳化型シリコーン消泡剤を０．０５〜２重量％含有することを特徴とする請求項１記載の洗浄剤組成物。
【発明の詳細な説明】
【技術分野】
【０００１】
本発明は、洗浄剤組成物に関する。
【背景技術】
【０００２】
従来より、炭素数１２〜１４の天然及び合成由来の、直鎖及び／又は分岐の、飽和及び／又は不飽和の、第１級及び／第２級の脂肪族アルコールに、エチレンオキサイド及びプロピレンオキサイドを付加させた非イオン界面活性剤を含有した洗浄剤が、洗濯等によく用いられている（例えば、特許文献１）。
【０００３】
前記洗浄剤を用いて洗濯を行った場合には、多量の泡が発生するが、多量に発生する泡は、洗浄剤の好ましい性質の一つであるとみなされていた。しかし、多量に発生する泡が必ずしも優れた洗浄力を示すものではなく、前記洗浄剤は逆に種々の問題を有している。
【０００４】
例えば、叩き効果により洗浄性が左右されるドラム型洗濯機で、前記洗浄剤を用いて洗濯を行った場合、多量に発生する泡がクッションとして働き、叩き効果が半減して、洗浄性が低下するという問題を有している。
【０００５】
また、多量に発生する泡が、前記洗濯機からあふれ出し、洗濯機の誤作動等の原因となるという問題も有している。
【０００６】
一方、泡の発生を抑えるために、前記洗浄剤の使用量を少なくした場合には、洗浄性が低下するという問題も有している。
【０００７】
上記問題を解消するために、前記洗浄剤に消泡剤を加えて泡の発生を抑制する提案がなされているが、未だ充分に検討されていないというのが現状である。
【特許文献１】特開２００２−１９４３９０号公報
【発明の開示】
【発明が解決しようとする課題】
【０００８】
本発明者は、前記炭素数１２〜１４の天然及び合成由来の、直鎖及び／又は分岐の、飽和及び／又は不飽和の、第１級及び／第２級の脂肪族アルコールに、エチレンオキサイド及びプロピレンオキサイドを付加させてなる非イオン界面活性剤と種々の消泡剤とを組み合わせて、洗濯時における泡の発生を低減できないのかの検討を行ったが、満足のいく結果が得られなかった。
即ち、従来より、よく用いられている前記炭素数１２〜１４の天然及び合成由来の、直鎖及び／又は分岐の、飽和及び／又は不飽和の、第１級及び／第２級の脂肪族アルコールに、エチレンオキサイド及びプロピレンオキサイドを付加させてなる非イオン界面活性剤を含有する洗浄組成物による泡の発生を低減させることには限界があることを見いだした。
そこで、上記問題点に鑑み、本発明は低泡性で且つ洗浄性に優れる洗浄剤組成物を提供することを課題とする。
【課題を解決するための手段】
【０００９】
本発明者は、上記課題を解決すべく鋭意研究を重ねた結果、従来は洗浄剤の成分として殆ど用いられていなかった炭素数１６〜１８の飽和又は不飽和脂肪族炭化水素基に、エチレンオキサイド及びプロピレンオキサイドを付加させてなる非イオン界面活性剤と、シリコーン消泡剤とを組み合わせることにより、前記問題を解決できることを見いだし、本発明を完成するに至った。
【００１０】
即ち、本発明は、一般式（１）：R1-O-[(EO)x／(PO)y]-H…（１）［式（１）中、R1は、炭素数が１６〜１８の飽和脂肪族炭化水素基又は炭素数が１６〜１８の不飽和脂肪族炭化水素基、EOはオキシエチレン基、POはオキシプロピレン基を示す。EOとPOとはランダム付加でもブロック付加でもよい。x及びyは平均付加モル数であり、xは８〜１６の数、yは２〜８の数を表す。］で表される非イオン界面活性剤と、自己乳化型シリコーン消泡剤とを含有している洗浄剤組成物を提供する。
かかる組成であれば、低泡性で且つ洗浄性に優れる洗浄剤組成物が提供される。
ここで、自己乳化型シリコーン消泡剤とは、水に添加した場合に油滴として表面に浮かずに水中に分散するタイプのものをいう。
【００１１】
また、本発明に係る洗浄剤組成物は、前記非イオン界面活性剤を５〜２０重量％、前記自己乳化型シリコーン消泡剤を０．０５〜２重量％含有することが好ましい。
かかる組成であれば、より一層低泡性で且つ洗浄性に優れる洗浄剤組成物が提供される。
【発明の効果】
【００１２】
本発明に係る洗浄剤組成物は、低泡性で且つ洗浄性に優れるものである。
【発明を実施するための最良の形態】
【００１３】
以下、本発明に係る洗浄剤組成物について説明する。
本発明の洗浄剤組成物は、所定の非イオン界面活性剤と所定の消泡剤とを含有してなるものである。
【００１４】
前記非イオン界面活性剤は、一般式（１）：R1-O-[(EO)x／(PO)y]-H…（１）［式（１）中、R1は、炭素数が１６〜１８の飽和脂肪族炭化水素基又は炭素数が１６〜１８の不飽和脂肪族炭化水素基、EOはオキシエチレン基、POはオキシプロピレン基を示す。EOとPOとはランダム付加でもブロック付加でもよい。x及びyは平均付加モル数であり、xは８〜１６の数、yは２〜８の数を表す。］で表されるものである。
【００１５】
前記一般式（１）で表される非イオン界面活性剤は、炭素数が１６〜１８の飽和又は不飽和脂肪族アルコール（高級アルコール）にエチレンオキサイド及びプロピレンオキサイドを付加させたものである。
尚、前記非イオン界面活性剤は、単一成分からなるものであっても混合成分からなるものであってもよい。
【００１６】
前記非イオン界面活性剤の原料となる高級アルコールとしては、具体的にセチルアルコール、ステアリルアルコール、オレイルアルコール、ソーマリルアルコール、イソステアリルアルコール等が挙げられる。
本発明で使用できる高級アルコールは、単一物から成るものであっても、また、飽和脂肪族アルコールと不飽和脂肪族アルコールとの混合物であっても良い。
【００１７】
前記炭素数１６〜１８の飽和又は不飽和脂肪族アルコールに前記エチレンオキサイド及び前記プロピレンオキサイドを付加させる方法としては、特に限定するものではなく、公知の方法、例えば、加熱加圧下で酸又はアルカリ触媒下で付加させる方法が挙げられる。
【００１８】
前記炭素数１６〜１８の飽和又は不飽和脂肪族アルコールに前記エチレンオキサイド及び前記プロピレンオキサイドを付加させる際の付加形式としては、ランダム付加形式或いはブロック付加形式の何れであってもよいが、まず、骨格となる前記アルコールに所定量のエチレンオキサイドを付加させた後、更に所定量のプロピレンオキサイドを付加させるブロック付加形式が好ましい。
前記ブロック付加形式が好ましいのは、より低泡性な洗浄剤が得られるためである。
【００１９】
前記一般式（１）で表される非イオン界面活性剤において、前記オキシエチレン基の平均付加モル数ｘは、８〜１６の数の範囲であり、好ましくは１６である。
オキシエチレン基の平均付加モル数が上記範囲内にあれば、水に対する溶解性に優れ、且つ洗浄性が良好となる。
また、前記オキシプロピレン基の平均付加モル数ｙは、２〜８の数の範囲であり、好ましくは８である。
オキシプロピレン基の平均付加モル数が上記範囲内にあれば、洗浄性能を妨げず、且つ低泡性が得られる。
尚、平均付加モル数は、仕込量より分子量計算で求められた値である。
【００２０】
本発明に係る非イオン界面活性剤は、従来より、よく用いられている炭素数１２〜１４の天然及び合成由来の、直鎖及び／又は分岐の、飽和及び／又は不飽和の、第１級及び／第２級の脂肪族アルコールに、エチレンオキサイド及びプロピレンオキサイドを付加させてなる非イオン界面活性剤に比べて、低泡性で且つ洗浄性にも優れており、泡立ちによる泡トラブルの発生を低減できる。
【００２１】
前記一般式（１）で表される非イオン界面活性剤としては、具体的にＣ16〜18-Ｏ-［(ＥＯ)8／(ＰＯ)4］-Ｈ［ランダム付加体］、Ｃ16〜18-Ｏ-［(ＥＯ)10／(ＰＯ)4］-Ｈ［ランダム付加体］、Ｃ16〜18-Ｏ-［(ＥＯ)12／(ＰＯ)4］-Ｈ［ブロック付加体］、Ｃ16〜18-Ｏ-［(ＥＯ)16／(ＰＯ)4］-Ｈ［ランダム付加体］、Ｃ16〜18-Ｏ-［(ＥＯ)16／(ＰＯ)8］-Ｈ［ランダム付加体］、Ｃ16〜18-Ｏ-［(ＥＯ)16／(ＰＯ)8］-Ｈ［ブロック付加体］等が挙げられる。
ここで、ブロック付加体は、エチレンオキサイド（ＥＯ）が全てアルコールに付加した後に、更にプロピレンオキサイド（ＰＯ）が付加したものである。
尚、エチレンオキサイド（ＥＯ）及びプロピレンオキサイド（ＰＯ）の付加モル数は、平均付加モル数である。また、Ｃ16〜18は、炭素数が１６〜１８の飽和又は不飽和脂肪族炭化水素基を示す。
【００２２】
前記自己乳化型シリコーン消泡剤としては、自己乳化型ポリエーテル変性シロキサン消泡剤：下記一般式（２）で表されるものが挙げられる。
【００２３】
【化１】
2007161854.tif 000002
【００２４】
尚、前記自己乳化型シリコーン消泡剤としては、一般式（２）で表され且つｍ＋ｎ＝１０〜１００で、分子量が１００〜５０００で、ｘ＝１〜１０のものが好ましい。
前記自己乳化型ポリエーテル変性シロキサン消泡剤としては、具体的に信越化学(株)社製：商品名「KS530」、ダウコーニングアジア(株)社製：品名「DKQ1-1183」が挙げられる。
前記自己乳化型シリコーン消泡剤を用いることで、泡の発生を抑制できる。
【００２５】
本発明の洗浄剤組成物は、好ましくは前記非イオン界面活性剤を５〜２０重量％、前記自己乳化型シリコーン消泡剤を０．０５〜２重量％含有し、より好ましくは前記非イオン界面活性剤を５〜１０重量％、前記自己乳化型シリコーン消泡剤を０．４〜０．８重量％含有する。
上記範囲内で前記非イオン界面活性剤と前記自己乳化型シリコーン消泡剤とを組み合わせることで、泡の発生がより一層抑えられる。
特に、硬度０〜２０ｍｇ／・の軟水使用下において、ドラム型洗濯機を用いて洗濯を行っても該洗濯機から泡が溢れる等の虞が実質的に発生しないという効果を奏する。
【００２６】
本発明の洗浄剤組成物には、前記非イオン界面活性剤と前記自己乳化型シリコーン消泡剤との他に、本発明の効果を妨げない範囲で、通常、洗浄剤組成物に配合される各種成分を配合することができる。
前記各種成分としては、例えば、アルカリ剤（炭酸ナトリウム、炭酸カリウム、ケイ酸ナトリウム、モノエタノールアミン、ジエタノールアミン、トリポリリン酸ソーダ等）、キレート化剤（Ａ型ゼオライト、Ｐ型ゼオライト、アクリル酸マレイン酸共重合体、層状ケイ酸塩、クエン酸、ニトリロ三酢酸塩、エチレンジアミン四酢酸塩等）、酵素（プロテアーゼ、アミラーゼ、リパーゼ、セルラーゼ等）、香料、蛍光剤、漂白剤、漂白活性剤などを、本発明の効果を妨げない範囲で常用量配合することができる。
【００２７】
本発明の洗浄剤組成物は、その剤型が特に制限されず、例えば粒状洗浄剤、タブレット洗浄剤、ブリケット洗浄剤、シート状洗浄剤の洗浄基剤、液体洗浄剤等の各種剤型に調製することができる。また、その調製方法も特に制限されるものではなく、各剤型の常法に準じて製造することができる。
【実施例】
【００２８】
以下、実施例を挙げて本発明を具体的に説明するが、本発明はこれら実施例によって限定されるものではない。
【００２９】
（バブリング試験法）
予め温めておいた５００ｍｌのメスシリンダーに０．１重量％洗浄液１００ｍｌ（６０℃）とディフェザーストーン（直径３ｃｍ）を入れエアーポンプにて空気を３０秒間導入した。３０秒間導入後、エアーポンプを止め、エアーポンプ停止直後とエアーポンプ停止３０秒後の泡の量（ｍｌ）を読みとった。
【００３０】
（汚染布洗浄試験条件）
攪拌式洗浄力試験機（大栄科学精器製作所製：ターゴトメーター：型式ＴＭ−４）により人工汚染布（エンパ社製：商品名「ＥＭＰＡ１０１」（カーボンブラック、オリーブオイル汚れ））を使用して、浴比を１：３０に設定し、洗浄剤組成物（洗浄剤濃度：０．１重量％）を加えて、回転数８０ｒｐｍ（回／分）で６０℃の温水で１０分間洗浄し、次いで４０℃の温水で３分間の濯ぎ、室温の水で３分間の濯ぎを行った後、脱水した。
尚、浴比１：３０とは、重量比で布１に対して水を３０倍使用することをいう。
【００３１】
（洗浄力試験の評価）
洗浄力試験の評価は洗浄効率で判定した。
洗浄効率は、下記式により算出した。
洗浄効率（％）＝［（Ｒ３−Ｒ２）÷（Ｒ１−Ｒ２）］×１００
Ｒ１：原白布の表面反射率
Ｒ２：洗浄前の汚染布の表面反射率
Ｒ３：洗浄後の汚染布の表面反射率
尚、原白布、汚染布等の表面反射率は、東京電色製：機種名「ＴＣ−１５００ＳＸ型」を用いて測定した。
【００３２】
（合成例１）
容積５Ｌのオートクレーブに、原料となる炭素数１６〜１８の高級アルコール(新日本理化(株)社製、商品名：アンジェコール５０Ａ) １１９４ｇと、４８重量％水酸化カリウム水溶液 １２．５ｇとを仕込んだ後、オートクレーブ内を窒素置換してから、攪拌しつつ １２５±５℃で減圧脱水を行なった。
次いで、１３０±５℃まで昇温した後、１３０±５℃、反応圧 ０．２５MPaでエチレンオキサイド １２７３ｇ(２８．９ｍｏｌ）と、プロピレンオキサイド ５３３ｇ(９．２ｍｏｌ）とを混合したオキサイド混合物をオートクレーブ内に導入した。この後、さらに、反応温度を維持しつつ、内圧が低下して一定になるまで熟成させた。
その後、反応液を ８０℃まで冷却した後、９０重量％乳酸 １０．８ｇで中和した。得られた化合物は、一般式(１)において、ｘ＝６．３、ｙ＝２のランダム付加体であった。
尚、本発明で用いた炭素数１６〜１８の高級アルコールの組成は、セチルアルコール：ステアリルアルコール：オレイルアルコール＝２０〜３０：２０〜３０：４０〜５０(重量％)の混合物であった。
【００３３】
（合成例２）
容積５Ｌのオートクレーブに、原料となる炭素数１６〜１８の高級アルコール（新日本理化(株)社製、商品名：アンジェコール５０Ａ) １０７８ｇと、４８重量％水酸化カリウム水溶液 １２．５ｇとを仕込んだ後、オートクレーブ内を窒素置換してから、攪拌しつつ １２５±５℃で減圧脱水を行なった。
次いで、１３０±５℃まで昇温した後、１３０±５℃、反応圧 ０．２５MPaでエチレンオキサイド １４４１ｇ(３２．７ｍｏｌ)を導入した。所定量のエチレンオキサイドの導入が完了した後、反応温度を維持しつつ、内圧が低下して一定になるまで熟成させた。
次に、１２０±５℃、反応圧 ０．３５MPaでプロピレンオキサイド ４８１ｇ(８．３ｍｏｌ)を導入した。この後、さらに、反応温度を維持しつつ、内圧が低下して一定になるまで熟成させた。
その後、反応液を ８０℃まで冷却した後、９０重量％乳酸 １０．８ｇで中和した。得られた化合物は、前記一般式(１)において、ｘ＝７．９、ｙ＝２のブロック付加体であった。
【００３４】
合成例３（一般式(１)において、ｘ＝８、ｙ＝４のランダム付加体）、合成例４（一般式(１)において、ｘ＝１０、ｙ＝４のランダム付加体）、合成例５（一般式(１)において、ｘ＝１２、ｙ＝４のブロック付加体）、合成例６（一般式(１)において、ｘ＝１６、ｙ＝４のランダム付加体）、合成例７（一般式(１)において、ｘ＝１６、ｙ＝８のランダム付加体）、合成例８（一般式(１)において、ｘ＝１６、ｙ＝８のブロック付加体）、合成例９（一般式(１)において、ｘ＝５、ｙ＝１のランダム付加体）、合成例１０（一般式(１)において、ｘ＝２０、ｙ＝１０のブロック付加体）、合成例１１（ラウリルアルコール使用、ＥＯ平均付加モル数＝８、ＰＯ平均付加モル数＝２のランダム付加体）、合成例１２（ラウリルアルコール使用、ＥＯ平均付加モル数＝８、ＰＯ平均付加モル数＝４のブロック付加体）は、前記合成例１或いは前記合成例２と同様の操作により合成した。
合成例１から合成例１２で合成した非イオン界面活性剤単独での０．０１重量％水溶液のバブリング試験の結果を表１に示した。
尚、合成例３〜合成例１０で用いた高級アルコールは、合成例１と同様のものである。
【００３５】
【表１】
2007161854.tif 000003
（＊１）（＊２）：炭素数１２のアルコール(ラウリルアルコール)を用いて非イオン界面活性剤を合成した。
(*1):C12-O-(EO)8-(PO)2-H［ランダム付加体］
(*2):C12-O-(EO)8-(PO)4-H［ブロック付加体］
【００３６】
（実施例１）
合成例８の非イオン界面活性剤 １０重量部（１０重量％）、自己乳化型シリコーン消泡剤(信越化学(株)社製、商品名：ＫＳ５３０) ０．５重量部（０．５重量％）、α−オレフィンスルホン酸ナトリウム（ライオン(株)社製、商品名：リポランＰＢ８００) ２重量部（２重量％）、石鹸(ミヨシ油脂社製、商品名：タンカルＡパウダー) １重量部（１重量％）、キレート化剤(ＢＡＳＦ社製、商品名：トリロンＡ９２Ｒ(ニトリロ三酢酸三ナトリウム)) １２重量部（１２重量％）、ソーダ灰 ５８．４重量部（５８．４重量％）、無水メタケイ酸ナトリウム １５重量部（１５重量％）、蛍光剤(チバガイギー社製、商品名：チノパールＣＢＳ−Ｘ) ０．６重量部（０．６重量％）、カルボキシメチルセルロース(ＣＭＣ)(第一工業製薬(株)社製、商品名：セロゲンＰＲ) ０．５重量部（０．５重量％）を配合して洗浄剤組成物を製造した。
該洗浄剤組成物を用いて起泡性試験(バブリング試験)及び洗浄力試験を行った。その結果を表２に示した。
【００３７】
（実施例２）
自己乳化型シリコーン消泡剤(信越化学(株)社製、商品名：ＫＳ５３０) ０．２重量部（０．２重量％）、ソーダ灰 ５８．７重量部（５８．７重量％）用いた以外、実施例１と同様の操作により、洗浄剤組成物を製造した。
該洗浄剤組成物を用いて起泡性試験(バブリング試験)及び洗浄力試験を行った。その結果を表２に示した。
【００３８】
（実施例３）
自己乳化型シリコーン消泡剤(信越化学(株)社製、商品名：ＫＳ５３０) ０．１重量部（０．１重量％）、ソーダ灰 ５８．８重量部（５８．８重量％）用いた以外、実施例１と同様の操作により、洗浄剤組成物を製造した。
該洗浄剤組成物を用いて起泡性試験(バブリング試験)を及び洗浄力試験を行った。その結果を表２に示した。
【００３９】
（実施例４）
自己乳化型シリコーン消泡剤(信越化学(株)社製、商品名：ＫＳ５３０) １重量部（１重量％）、ソーダ灰 ５７．９重量部（５７．９重量％）用いた以外、実施例１と同様の操作により、洗浄剤組成物を製造した。
該洗浄剤組成物を用いて起泡性試験(バブリング試験)を及び洗浄力試験を行った。その結果を表２に示した。
【００４０】
（実施例５）
自己乳化型シリコーン消泡剤(信越化学(株)社製、商品名：ＫＳ５３０) ２重量部（２重量％）、ソーダ灰 ５６．９重量部（５６．９重量％）用いた以外、実施例１と同様の操作により、洗浄剤組成物を製造した。
該洗浄剤組成物を用いて起泡性試験(バブリング試験)を及び洗浄力試験を行った。その結果を表２に示した。
【００４１】
（実施例６）
合成例３の非イオン界面活性剤（オキシエチレン基（ＥＯ）：ｘ＝８、オキシプロピレン基（ＰＯ）：ｙ＝４、ランダム付加体）１０重量部（１０重量％）を用いた以外、実施例２と同様の操作により、洗浄剤組成物を製造した。
該洗浄剤組成物を用いて起泡性試験(バブリング試験)を及び洗浄力試験を行った。その結果を表２に示した。
【００４２】
（実施例７）
合成例４の非イオン界面活性剤（オキシエチレン基（ＥＯ）：ｘ＝１０、オキシプロピレン基（ＰＯ）：ｙ＝４、ランダム付加体）１０重量部（１０重量％）を用いた以外、実施例２と同様の操作により、洗浄剤組成物を製造した。
該洗浄剤組成物を用いて起泡性試験(バブリング試験)を及び洗浄力試験を行った。その結果を表２に示した。
【００４３】
（実施例８）
合成例４の非イオン界面活性剤（オキシエチレン基（ＥＯ）：ｘ＝１０、オキシプロピレン基（ＰＯ）：ｙ＝４、ランダム付加体）１０重量部（１０重量％）、自己乳化型シリコーン消泡剤(信越化学(株)社製、商品名：ＫＳ５３０) ０．４重量部（０．４重量％）、ソーダ灰 ５８．５重量部（５８．５重量％）用いた以外、実施例１と同様の操作により、洗浄剤組成物を製造した。
該洗浄剤組成物を用いて起泡性試験(バブリング試験)を及び洗浄力試験を行った。その結果を表２に示した。
【００４４】
（実施例９）
合成例５の非イオン界面活性剤（オキシエチレン基（ＥＯ）：ｘ＝１２、オキシプロピレン基（ＰＯ）：ｙ＝４、ブロック付加体）１０重量部（１０重量％）を用いた以外、実施例２と同様の操作により、洗浄剤組成物を製造した。
該洗浄剤組成物を用いて起泡性試験(バブリング試験)を及び洗浄力試験を行った。その結果を表２に示した。
【００４５】
（実施例１０）
合成例６の非イオン界面活性剤（オキシエチレン基（ＥＯ）：ｘ＝１６、オキシプロピレン基（ＰＯ）：ｙ＝４、ランダム付加体）１０重量部（１０重量％）、自己乳化型シリコーン消泡剤(信越化学(株)社製、商品名：ＫＳ５３０) ０．４重量部（０．４重量％）、ソーダ灰 ５８．５重量部（５８．５重量％）用いた以外、実施例１と同様の操作により、洗浄剤組成物を製造した。
該洗浄剤組成物を用いて起泡性試験(バブリング試験)を及び洗浄力試験を行った。その結果を表２に示した。
【００４６】
（実施例１１）
合成例７の非イオン界面活性剤（オキシエチレン基（ＥＯ）：ｘ＝１６、オキシプロピレン基（ＰＯ）：ｙ＝８、ランダム付加体）１０重量部（１０重量％）を用いた以外、実施例２と同様の操作により、洗浄剤組成物を製造した。
該洗浄剤組成物を用いて起泡性試験(バブリング試験)を及び洗浄力試験を行った。その結果を表２に示した。
【００４７】
（比較例１）
自己乳化型シリコーン消泡剤(信越化学(株)社製、商品名：ＫＳ５３０)を用いなかったこと、ソーダ灰 ５８．９重量部（５８．９重量％）用いた以外、実施例１と同様の操作により、洗浄剤組成物を製造した。
該洗浄剤組成物を用いて起泡性試験(バブリング試験)を及び洗浄力試験を行った。その結果を表２に示した。
【００４８】
（比較例２）
合成例１１の非イオン界面活性剤（上記式（１）中、Ｒ１＝炭素数１２のアルキル基、オキシエチレン基（ＥＯ）：ｘ＝８、オキシプロピレン基（ＰＯ）：ｙ＝２、ランダム付加体）１０重量部（１０重量％）を用いた以外、前記実施例１と同様の操作により、洗浄剤組成物を製造した。
該洗浄剤組成物を用いて起泡性試験(バブリング試験)を及び洗浄力試験を行った。その結果を表２に示した。
【００４９】
（比較例３）
合成例１２の非イオン界面活性剤（上記式（１）中、Ｒ１＝炭素数１２のアルキル基、オキシエチレン基（ＥＯ）：ｘ＝８、オキシプロピレン基（ＰＯ）：ｙ＝４、ブロック付加体）１０重量部（１０重量％）を用いた以外、前記実施例４と同様の操作により、洗浄剤組成物を製造した。
該洗浄剤組成物を用いて起泡性試験(バブリング試験)を及び洗浄力試験を行った。その結果を表２に示した。
【００５０】
（比較例４）
合成例１２の非イオン界面活性剤１０重量部（１０重量％）を用いた以外、前記実施例５と同様の操作により、洗浄剤組成物を製造した。
該洗浄剤組成物を用いて起泡性試験(バブリング試験)を及び洗浄力試験を行った。その結果を表２に示した。
【００５１】
（比較例５）
合成例１１の非イオン界面活性剤１０重量部（１０重量％）を用いた以外、前記実施例２と同様の操作により、洗浄剤組成物を製造した。
該洗浄剤組成物を用いて起泡性試験(バブリング試験)を及び洗浄力試験を行った。その結果を表２に示した。
【００５２】
（比較例６）
合成例９の非イオン界面活性剤１０重量部（１０重量％）を用いた以外、実施例２と同様の操作により、洗浄剤組成物を製造した。
該洗浄剤組成物を用いて起泡性試験(バブリング試験)を及び洗浄力試験を行った。その結果を表２に示した。
【００５３】
（比較例７）
合成例１０の非イオン界面活性剤１０重量部（１０重量％）を用いた以外、前記実施例４と同様の操作により、洗浄剤組成物を製造した。
該洗浄剤組成物を用いて起泡性試験(バブリング試験)を及び洗浄力試験を行った。その結果を表２に示した。
【００５４】
（比較例８）
合成例１０の非イオン界面活性剤１０重量部（１０重量％）を用いた以外、前記実施例５と同様の操作により、洗浄剤組成物を製造した。
該洗浄剤組成物を用いて起泡性試験(バブリング試験)を及び洗浄力試験を行った。その結果を表２に示した。
【００５５】
（比較例９）
合成例１の非イオン界面活性剤１０重量部（１０重量％）を用いた以外、実施例２と同様の操作により、洗浄剤組成物を製造した。
該洗浄剤組成物を用いて起泡性試験(バブリング試験)を及び洗浄力試験を行った。その結果を表２に示した。
【００５６】
（比較例１０）
合成例２の非イオン界面活性剤１０重量部（１０重量％）を用いた以外、実施例２と同様の操作により、洗浄剤組成物を製造した。
該洗浄剤組成物を用いて起泡性試験(バブリング試験)を及び洗浄力試験を行った。その結果を表２に示した。
【００５７】
【表２】
2007161854.tif 000004
2007161854.tif 000005
（＊１）消泡剤：自己乳化型シリコーン消泡剤。
（＊２）ＡＯＳ：α−オレフィンスルホン酸ナトリウム。
（＊３）キレート化剤：ニトリロ三酢酸三ナトリウム。
（＊４）ＣＭＣ：カルボキシメチルセルロース。
（＊５）洗浄力試験の評価：洗浄効率４０％以上を良好、４０％未満を不良とした。
（＊６）バブリング評価。
停止直後の泡高さ５０以下、３０秒後の泡高さ０を◎とした。
停止直後の泡高さ１２０以下、３０秒後の泡高さ２０以下を○とした。
停止直後の泡高さ１２１以上、３０秒後の泡高さ２１以上を×とした。
【００５８】
（実施例１２）
合成例８の非イオン界面活性剤（オキシエチレン基(ＥＯ)：ｘ＝１６、オキシプロピレン基(ＰＯ)：ｙ＝８、ブロック付加体) ５重量部（５重量％）、自己乳化型シリコーン消泡剤(信越化学(株)社製、商品名：ＫＳ５３０) ０．０５重量部（０．０５重量％）、α−オレフィンスルホン酸ナトリウム（ライオン(株)社製、商品名：リポランＰＢ８００) ４重量部（４重量％）、石鹸(ミヨシ油脂社製、商品名：タンカルＡパウダー) １重量部（１重量％）、キレート化剤(ＢＡＳＦ社製、商品名：トリロンＡ９２Ｒ(ニトリロ三酢酸三ナトリウム)) ２０重量部（２０重量％）、ソーダ灰 ５３．８５重量部（５３．８５重量％）、無水メタケイ酸ナトリウム １５重量部（１５重量％）、蛍光剤(チバガイギー社製、商品名：チノパールＣＢＳ−Ｘ) ０．６重量部（０．６重量％）、カルボキシメチルセルロース(ＣＭＣ)(第一工業製薬(株)社製、商品名：セロゲンＰＲ) ０．５重量部（０．５重量％）を配合して洗浄剤組成物を製造した。
該洗浄剤組成物を用いて起泡性試験(バブリング試験)及び洗浄力試験を行った。その結果を表３に示した。
【００５９】
（実施例１３）
合成例８の非イオン界面活性剤 ２０重量部（２０重量％）、自己乳化型シリコーン消泡剤(信越化学(株)社製、商品名：ＫＳ５３０) １．５重量部（１．５重量％）、α−オレフィンスルホン酸ナトリウム（ライオン(株)社製、商品名：リポランＰＢ８００) １重量部（１重量％）、キレート化剤(ＢＡＳＦ社製、商品名：トリロンＡ９２Ｒ(ニトリロ三酢酸三ナトリウム)) ５重量部（５重量％）、ソーダ灰 ５５．４重量部（５５．４重量％）を用いた以外、実施例１２と同様の操作を行い洗浄剤組成物を製造した。
該洗浄剤組成物を用いて起泡性試験(バブリング試験)及び洗浄力試験を行った。その結果を表３に示した。
【００６０】
（実施例１４）
合成例５の非イオン界面活性剤（オキシエチレン基(ＥＯ)：ｘ＝１２、オキシプロピレン基(ＰＯ)：ｙ＝４、ブロック付加体) ５重量部（５重量％）、自己乳化型シリコーン消泡剤(信越化学(株)社製、商品名：ＫＳ５３０) ０．０５重量部（０．０５重量％）、キレート化剤(ＢＡＳＦ社製、商品名：トリロンＡ９２Ｒ(ニトリロ三酢酸三ナトリウム)) ２５重量部（２５重量％）、ソーダ灰 ５１．８５重量部（５１．８５重量％）を用いた以外、実施例１３と同様の操作を行い洗浄剤組成物を製造した。
該洗浄剤組成物を用いて起泡性試験(バブリング試験)及び洗浄力試験を行った。その結果を表３に示した。
【００６１】
（実施例１５）
合成例５の非イオン界面活性剤 １５重量部（１５重量％）、自己乳化型シリコーン消泡剤(信越化学(株)社製、商品名：ＫＳ５３０) ０．２重量部（０．２重量％）、キレート化剤(ＢＡＳＦ社製、商品名：トリロンＡ９２Ｒ(ニトリロ三酢酸三ナトリウム)) １０重量部（１０重量％）、ソーダ灰 ４６．７重量部（４６．７重量％）無水メタケイ酸ナトリウム ２５重量部（２５重量％）を用いた以外、実施例１３と同様の操作を行い洗浄剤組成物を製造した。
該洗浄剤組成物を用いて起泡性試験(バブリング試験)及び洗浄力試験を行った。その結果を表３に示した。
【００６２】
（比較例１１）
合成例８の非イオン界面活性剤（オキシエチレン基(ＥＯ)：ｘ＝１６、オキシプロピレン基(ＰＯ)：ｙ＝８、ブロック付加体) ３重量部（３重量％）、自己乳化型シリコーン消泡剤(信越化学(株)社製、商品名：ＫＳ５３０)使用せず、キレート化剤(ＢＡＳＦ社製、商品名：トリロンＡ９２Ｒ(ニトリロ三酢酸三ナトリウム)) ２０重量部（２０重量％）、ソーダ灰 ５８．９重量部（５８．９重量％）、無水メタケイ酸ナトリウム １５重量部（１５重量％）を用いた以外、実施例１３と同様の操作を行い洗浄剤組成物を製造した。
該洗浄剤組成物を用いて起泡性試験(バブリング試験)及び洗浄力試験を行った。その結果を表３に示した。
【００６３】
（比較例１２）
合成例５の非イオン界面活性剤 ５重量部（５重量％）、自己乳化型シリコーン消泡剤(信越化学(株)社製、商品名：ＫＳ５３０)使用せず、ソーダ灰 ５６．９重量部（５６．９重量％）を用いた以外、比較例１１と同様の操作を行い洗浄剤組成物を製造した。
該洗浄剤組成物を用いて起泡性試験(バブリング試験)及び洗浄力試験を行った。その結果を表３に示した。
【００６４】
【表３】
2007161854.tif 000006
（＊１）消泡剤：自己乳化型シリコーン消泡剤
（＊２）ＡＯＳ：α−オレフィンスルホン酸ナトリウム
（＊３）キレート化剤：ニトリロ三酢酸三ナトリウム
（＊４）ＣＭＣ：カルボキシメチルセルロース
（＊５）：洗浄力試験の評価
洗浄効率４０％以上：良好、洗浄効率４０％未満：不良とした。
（＊６）：バブリング評価
停止直後の泡高さ５０以下、３０秒後の泡高さ０を◎とした。
停止直後の泡高さ１２０以下、３０秒後の泡高さ２０以下を○とした。
停止直後の泡高さ１２１以上、３０秒後の泡高さ２１以上を×とした。
【００６５】
実施例１〜実施例１５において、本発明に係る洗浄剤組成物は、低泡性で且つ洗浄性に優れるものであることが判明した。